(57)【特許請求の範囲】
【請求項１】
駆動トランスを介して交流電力により、複数本の放電灯を並列点灯させる放電灯点灯回路において、
上記駆動トランスの２次巻線の一端が、差動巻チョークコイルの同一側の各一端に接続され、上記差動巻チョークコイルの各他端は２本の放電灯の各一端にそれぞれ接続され、上記２本の放電灯と上記差動巻チョークコイルとの各接続点に他の２本の放電灯の各一端が接続され、上記差動巻チョークコイルが上記２次巻線の一端と上記２本の放電灯及び上記他の２本の放電灯の各一端との間に介在され、
上記２次巻線の他端と上記２本の放電灯の上記各他端との間に第２の差動巻チョークコイルの一方の巻線が介在され、上記第２の差動巻チョークコイルの他方の巻線が上記他の２本の放電灯の各他端と上記２次巻線の上記他端との間に介在されている
ことを特徴とする放電灯点灯回路。
【発明の詳細な説明】
【０００１】
【発明の属する技術分野】
この発明は蛍光灯などの放電灯を２本同時に点灯させる放電灯点灯回路に関する。
【０００２】
【従来の技術】
従来、蛍光灯を複数本同時点灯させる点灯回路は、図４に示すように構成されていた。つまり図４Ａに示すように、駆動トランス１１の２次巻線１２の両端間に、蛍光灯１３，１４の直列接続が接続される。つまり蛍光灯１３の一方のヒータ１５の一端が２次巻線１２の一端に接続され、他端が起動用コンデンサ１６を通じて蛍光灯１３の他方のヒータ１７の一端に接続され、ヒータ１７の他端は蛍光灯１４の一方のヒータ１８の一端に接続され、ヒータ１８の他端は起動用コンデンサ１９を通じて蛍光灯１４の他方のヒータ２１の一端に接続され、ヒータ２１の他端は２次巻線１２の他端に接続される。このように直列接続された蛍光灯１３，１４の両端間に交流電力を印加することにより蛍光灯１３，１４を同時点灯させている。
【０００３】
あるいは図４Ｂに示すように、蛍光灯１３，１４の各一方のヒータ１５，１８の各一端を２次巻線１２の一端に接続し、各他方のヒータ１７，２１の各一端を２次巻線１２の他端に接続し、ヒータ１５，１８を駆動トランス１１のヒータ用巻線２２に、ヒータ１７，２１をヒータ用巻線２３にそれぞれ接続し、蛍光灯１３，１４をトランス１１に対し並列に接続して、蛍光灯１３，１４を同時点灯させている。
【０００４】
【発明が解決しようとする課題】
図４Ａに示した直列点灯方式では蛍光灯１３，１４の一方が切れる、つまり点灯不能になると、他方の蛍光灯にも電流が流れず、滅灯してしまう。また点灯させようとしても、切れた蛍光灯により交流電力が正常な蛍光灯に印加されず、点灯させることはできない。
【０００５】
図４Ｂに示す並列点灯方式では、点灯開始時に、一般に２本の蛍光灯１３，１４の一方が先に点灯し、その両端間の電圧が小さな値となり、他方の蛍光灯を点灯させることができない場合があった。また両蛍光灯１３，１４が点灯しても、一方の蛍光灯が切れると、残りの蛍光灯に２本分の電流が流れ、不安定点灯となり、駆動トランス１１に交流電力を供給するインバータが破損する場合があった。
【０００６】
この発明の目的は２本の放電灯を確実に点灯させることができ、かつ一方の放電灯が切れても、他方の放電灯を点灯させることができ、または点灯を安定に維持させることができる放電灯点灯回路を提供することにある。
【０００７】
【課題を解決するための手段】
この発明によれば駆動トランスの２次巻線の少くとも一端と複数本の放電灯の各一端との間に差動巻チョークコイルが介在されている。
【０００８】
【発明の実施の形態】
図１にこの発明の実施例を示す。この実施例では交流電力を駆動トランス１１へ供給するため、プッシュプル自動発振回路３１が構成されている。即ちスイッチングトランジスタ３２，３３のエミッタが互いに接続されて、直流電源の一方の端子３４に接続され、トランジスタ３２，３３の各コレクタはコンデンサ３５の両端、及び、駆動トランス１１の１次巻線３６の両端に接続され、１次巻線３６の中点はチョークコイル３７，逆接続保護用ダイオード３８を通じて直流電源の他方の電源端子３９に接続され、１次巻線３６と結合した帰還巻線４１の両端はトランジスタ３２，３３の各ベースに接続される。２次巻線３６と結合した電源用巻線６１の両端が整流用ダイオード６２を通じてコンデンサ６３の両端に接続され、コンデンサ６３の両端が抵抗素子６４を通じてツエナダイオード６５の両端に接続され、ツエナダイオード６５の両端がトランジスタ３２，３３の各ベース、エミッタに抵抗素子を通じて接続される。
【０００９】
この発振回路３１よりの発振交流電力が２次巻線１２へ供給される。駆動トランス１１としては漏洩トランスが用いられる。
２次巻線１２の一端は蛍光灯１３，１４の各一端に接続され、他端は差動巻チョークコイル４３の同一側の両コイル４３ａ，４３ｂの各一端に接続され、差動巻チョークコイル４３の各コイル４３ａ，４３ｂの他端は蛍光灯１３，１４の各他端に接続される。差動巻チョークコイル４３は、コイル４３ａ，４３ｂの巻数は同一で巻き方向が逆とされているか、あるいは巻き方向が同一で逆方向に電流が流されることにより、互いの巻線の磁束が打ち消し合うようにされている。この差動巻チョークコイル４３が接続された側の蛍光灯１３，１４の各ヒータ１５，１８はトランス１１のヒータ用巻線４４，４５の両端にそれぞれ接続され、蛍光灯１３，１４の各他方のヒータ１７，２１はトランス１１のヒータ用巻線４６の両端に共通に接続される。
【００１０】
この構成において発振回路３１が発振を開始し、２次巻線１２に電圧Ｖが誘起され、この瞬間においては差動巻チョークコイル４３に電流が流れず、チョークコイルとしての動作がなされず、蛍光灯１３，１４の両端に電圧Ｖが印加される。この結果、一方の蛍光灯１３が先に点灯すると、漏洩トランスに基づく限界電流の大部分が蛍光灯１３に流れようとする。これに伴って電流が差動巻チョークコイル４３に流れ、この電流によりチョークコイルとしての動作が生じ、蛍光灯１３に流れる電流を制限するような電圧ｖがコイル４３ａに発生し、つまり電圧ｖの極性は２次巻線１２の誘起電圧Ｖと逆極性である。差動巻チョークコイル４３のトランス作用により蛍光灯１４と接続されたコイル４３ｂには２次巻線１２の電圧Ｖと同極性の電圧ｖ′＝ｖが発生する。よって、未点灯の蛍光灯１４にはＶ＋ｖ′の電圧が印加され、蛍光灯１４も点灯することになる。
【００１１】
このようにして蛍光灯１３，１４は共に点灯する。両蛍光灯１３，１４が点灯している状態では蛍光灯１３，１４にそれぞれ流れる電流ｉ1 とｉ2 の和の電流ｉがトランス１１の電流制限作用（定電流作用）により決まる電流ｉに制限される。この両蛍光灯１３，１４の点灯状態で一方の蛍光灯１４が切れると、前記トランスに制限されている電流ｉが他方の蛍光灯１３に流れようとする、つまり１本の蛍光灯１３に２本分の電流が流れようとするが、差動巻チョークコイル４３のチョーク作用により減流され、蛍光灯１３にはｉより小さな電流が流れる。このとき流れる電流が正常時に１本の蛍光灯に流れる電流と等しくなるようにチョークコイル４３を選んでおけばよい。このようにして一方が切れても過電流が１本の蛍光灯に流れ、損傷するおそれはない。
【００１２】
このように差動巻チョークコイル４３を用いて２本の蛍光灯１３，１４を同時点灯させ、また一方の蛍光灯が切れても正常に動作させることができる。このように差動巻チョークコイルを用いることにより、更に多くの蛍光灯を点灯させることができる。４本の蛍光灯を点灯させる例を図２に示す。
即ち、図２Ａに図１と対応する部分に同一番号を付けて示すように、２次巻線１２の差動巻チョークコイル４３が接続されている側の端が差動巻チョークコイル５１を介して蛍光灯５２，５３の各一端に接続され、２次巻線１２の他端が差動巻チョークコイル５４を通じて蛍光灯１３，１４の接続点、蛍光灯５２，５３の接続点にそれぞれ接続される。図２Ｂに示すようにしてもよい。即ち、２次巻線１２の一端が差動巻チョークコイル５４を通じて差動巻チョークコイル４３，５１の一端に接続され、差動巻チョークコイル４３，５１の各他端が蛍光灯１３と１４の各一端、５２と５３の各一端にそれぞれ接続され、蛍光灯１３，１４，５２，５３の各他端が２次巻線１２の他端に接続される。
【００１３】
あるいは図３に示すように、蛍光灯１３，５３の一端が互いに接続され、蛍光灯１４，５２の一端が互いに接続され、蛍光灯１３，１４の他端が互いに接続され、蛍光灯５２，５３の他端が互いに接続され、蛍光灯１３と５３の接続点、蛍光灯１４と５２の接続点に差動巻チョークコイル５５の２つの巻線の各一端が接続され、差動巻チョークコイル５５の２つの巻線の他端が、２次巻線１２の一端に接続される。蛍光灯１３と１４の接続点、蛍光灯５２と５３の接続点に差動巻チョークコイル５６の２つの巻線の各一端が接続され、チョークコイル５６の２つの巻線の各他端が２次巻線１２の他端に接続される。この構成によれば、図２Ａ，Ｂに示した場合と比較して、チョークコイルの数を減らすことができる。
【００１４】
図１、図２、図３の各実施例から理解されるように、並列点灯される複数の蛍光灯と２次巻線１２との間に差動巻チョークコイルを挿入することにより、複数の蛍光灯を確実に点灯することができ、かつ点灯中の複数の蛍光灯の１本乃至複数本が切れても、他の蛍光灯が影響を受けることなく、安定に点灯状態が保持される。
【００１５】
これらの手法により更に多くの蛍光灯を同時点灯させることができる。
【００１６】
【発明の効果】
以上述べたように、この発明によれば一つの発振回路と一つの駆動トランスにより複数の放電灯を確実に点灯させることができ、かつ点灯中の複数の放電灯の１本が切れても、他の放電灯が影響を受けることなく安定に点灯状態を保持させることができる。このため回路の簡素化、組立工数の低減ができ、装置の小型化、低価格化が図れる。
【図面の簡単な説明】
【図１】この発明の実施例を示す接続図。
【図２】この発明の他の実施例の要部を示す図。
【図３】この発明の更に他の実施例の要部を示す図。
【図４】従来の点灯回路を示す図。
【図１】
0004132347.tif 000002
【図２】
0004132347.tif 000003
【図３】
0004132347.tif 000004
【図４】
0004132347.tif 000005